(57)【特許請求の範囲】
【請求項１】
生体音を取得する生体音取得部と、
本体部と、
前記生体音取得部が前記本体部に接しないように、前記本体部に前記生体音取得部を保持するダンパ部と、
を備え、
前記生体音取得部は、
前記生体音を取得するセンサ部と、
前記センサ部を収容するケースと、
前記センサ部が前記ケースに接しないように、前記ケースに前記センサ部を保持するダイアフラムと、
を有し、
前記ダンパ部の弾性力は、前記ダイアフラムの弾性力よりも高い
ことを特徴とする生体音聴診装置。
【請求項２】
前記ケースは、開口を有し、
前記ダイアフラムは、前記開口を塞ぐように前記ケースと接続されており、
前記ダイアフラムは、被検体の体表面と対向する一の面と、前記一の面とは反対側の他の面とを有し、
前記センサ部は、前記他の面上の前記ケースと接しない位置に配置されている
ことを特徴とする請求項１に記載の生体音聴診装置。
【請求項３】
前記本体部は、前記生体音取得部を収容する中空の収容部を有し、
前記ダンパ部は、前記生体音取得部が前記本体部に接しないように、前記収容部内で、
前記生体音取得部を保持する
ことを特徴とする請求項１又は２に記載の生体音聴診装置。
【請求項４】
前記ダイアフラムはシリコーンにより形成されていることを特徴とする請求
項１乃至３のいずれか一項に記載の生体音聴診装置。
【請求項５】
前記ダンパ部は、前記ダイアフラムとは硬度の異なるシリコーンにより形成されていることを特徴とする請求項４に記載の生体音聴診装置。
【発明の詳細な説明】
【技術分野】
【０００１】
本発明は、例えば電子聴診器等の生体音聴診装置の技術分野に関する。
【背景技術】
【０００２】
この種の装置では、筺体の内部に、例えばマイクロフォン等のセンサが配置されている。この種の装置により生体音が収集される際には、筺体が被検体の体表に接触させられる。この種の装置により収集される音には、生体音の他に外部からの雑音も含まれる。このため、この種の装置では外部雑音の抑制が図られる。
【０００３】
例えば特許文献１には、筺体の体表に接触する部分を、体表に接する面とは反対側に音を採取する時の密閉空間を形成する凹部を有する集音部構成部材と、集音部構成部材の外周に接する保持部材と、により構成し、集音構成部材及び保持部材各々の音響インピーダンスを所定の条件に該当させることにより、外部雑音を抑える技術が開示されている。
【０００４】
或いは、特許文献２には、その表面を被検体の体表に密着させる板状の生体音伝播部と、筺体とで区画された空間内に、マイクロフォンを配置すると共に、生体音伝播部よりもショアＡ硬度の低い素材を前記空間内に充填してマイクロフォンを埋設することにより、外部環境雑音や摺動雑音の混入を抑制する技術が開示されている。
【先行技術文献】
【特許文献】
【０００５】
【特許文献１】特開２０１２−１５２３７７号公報
【特許文献２】特開２０１３−０７４９１５号公報
【発明の概要】
【発明が解決しようとする課題】
【０００６】
上述した背景技術では、外部雑音の抑制が十分ではないという技術的問題点がある。
【０００７】
本発明は、例えば上記問題点に鑑みてなされたものであり、外部雑音を好適に抑制することができる生体音聴診装置を提供することを課題とする。
【課題を解決するための手段】
【０００８】
本発明の生体音聴診装置は、上記課題を解決するために、生体音を取得する生体音取得部と、本体部と、前記生体音取得部が前記本体部に接しないように、前記本体部に前記生体音取得部を保持するダンパ部と、を備え、前記生体音取得部は、前記生体音を取得するセンサ部と、前記センサ部を収容するケースと、前記センサ部が前記ケースに接しないように、前記ケースに前記センサ部を保持するダイアフラムと、を有し、前記ダンパ部の弾性力は、前記ダイアフラムの弾性力よりも高い。
【０００９】
本発明の作用及び他の利得は次に説明する実施するための形態から明らかにされる。
【図面の簡単な説明】
【００１０】
【図１】実施例に係る電子聴診器の構成を示すブロック図である。
【図２】実施例に係る電子聴診器の要部の構造を示す断面図である。
【図３】比較例に係る電子聴診器の要部の構造を示す断面図である。
【図４】実施例に係る電子聴診器のノイズ抑制効果を説明するための図である。
【図５】実施例に係る電子聴診器のダンパ部の他の効果を説明するための図である。
【図６】ダイアフラムの外部雑音遮断特性の一例を示す図である。
【図７】実施例に係る電子聴診器の第１変形例を示す図である。
【図８】実施例に係る電子聴診器の第２変形例を示す図である。
【図９】実施例に係る電子聴診器の第３変形例を示す図である。
【図１０】実施例に係る電子聴診器の第４変形例を示す図である。
【発明を実施するための形態】
【００１１】
本発明の生体音聴診装置に係る実施形態について説明する。
【００１２】
実施形態に係る生体音聴診装置は、生体音取得部と、本体部と、該生体音取得部が該本体部に接しないように、該本体部内に該生体音取得部を保持するダンパ部と、を備えて構成されている。
【００１３】
生体音取得部は、生体音を取得するセンサ部と、該センサ部を収容する中空のケースと、該センサ部が該ケースに接しないように、該ケースに該センサ部を保持するダイアフラムと、を備えて構成されている。
【００１４】
この種の装置が聴診に用いられる場合には、例えば、装置を扱うユーザ自身の血流等に起因する生体ノイズ、ユーザの指や着衣等が装置に触れることにより、又は、被検体の皮膚等が装置に触れることにより、生じる接触ノイズ、被検体の目的とする生体音以外の音に起因する生体ノイズ、が、目的とする生体音と一緒に取得される可能性がある。
【００１５】
本実施形態に係る生体音聴診装置では、先ず、本体部と生体音取得部とが互いに接触しないように、ダンパ部により該生体音取得部が保持されている。このため、本体部から生体音取得部へ直接ノイズが伝播することを防止することができる。また、本体部からダンパ部を介して生体音取得部へノイズが伝播する場合であっても、ダンパ部の働きによってノイズが減衰されるので、生体音取得部へのノイズの伝播を抑制することができる。
【００１６】
次に、生体音取得部を構成するケースとセンサ部とが互いに接触しないように、ダイアフラムにより該センサ部が保持されている。このため、ケースからセンサ部へ直接ノイズが伝播することを防止することができる。また、ケースからダイアフラムを介してセンサ部へノイズが伝播する場合であっても、ダイアフラムの働きによってノイズが減衰されるので、センサ部へのノイズの伝播を抑制することができる。
【００１７】
このように、本実施形態に係る生体音聴診装置では、仮に生体音取得部へノイズが伝播した場合であっても、該生体音取得部のケースからセンサ部へのノイズの伝播が抑制される。つまり、本実施形態に係る生体音聴診装置では、２段階で、センサ部へのノイズの伝播が抑制される。この結果、本実施形態に係る生体音聴診装置によれば、外部雑音を好適に抑制することができる。
【００１８】
加えて、生体音取得部がダンパ部により保持されているので、例えば該生体音取得部の被検体の体表面に接する部分を、体表面に比較的容易に密着させることができる。このため、被検体が聴診時に受ける、装置が体に触れることによる違和感を低減することができる。
【００１９】
本実施形態に係る生体音聴診装置の一態様では、生体音取得部を構成するケースは開口を有している。ダイアフラムは、ケースの開口を塞ぐように該ケースと接続されている。ダイアフラムは、被検体の体表面と対向する一の面と、該一の面とは反対側の他の面とを有している。センサ部は、ダイアフラムの他の面上のケースと接しない位置に配置されている。
【００２０】
この態様によれば、センサ部により生体音を好適に取得できると共に、該センサ部にノイズが伝播することを好適に抑制することができる。
【００２１】
本実施形態に係る生体音聴診装置の他の態様では、当該生体音聴診装置を構成する本体部は、生体音取得部を収容する中空の収容部を有している。ダンパ部は、生体音取得部が本体部に接しないように、収容部内で生体音取得部を保持する。
【００２２】
この態様によれば、生体音取得部を好適に保護することができると共に、該生体音取得部にノイズが伝播することを好適に抑制することができる。
【００２３】
本実施形態に係る生体音聴診装置の他の態様では、ダンパ部の弾性力が、ダイアフラムの弾性力よりも高くなるように、該ダンパ部が構成されている。尚、弾性力の総和は弾性エネルギーと等しいため、物体の弾性力が高ければ高いほど、当該物体は硬いことを意味する。
【００２４】
ここで、本願発明者の研究によれば、以下の事項が判明している。即ち、センサ部により目的とする生体音を適切に取得するためには、ダイアフラムは可能な限り薄く設計されることが望ましい。他方で、センサ部を良好に保持するために、ダイアフラムにはある程度の硬さが求められる。
【００２５】
弾性力は、硬さ（硬度）に関係するヤング率（縦弾性係数）と、厚さの３乗と、に比例する。そこで、生体音の適切な取得と、センサ部の良好な保持との両立が可能な弾性力を決定し、該決定された弾性力を達成するように、ダイアフラムの材質（硬度）と厚さとを選択すれば、比較的容易に生体音の適切な取得と、センサ部の良好な保持とを両立することができるダイアフラムを設計することができる。
【００２６】
同様に、ダンパ部には、聴診時に生体音取得部が被検体の体表面に比較的容易に密着可能なことと、生体音取得部を良好に保持することとの両立が求められる。
【００２７】
ダンパ部の弾性力が、ダイアフラムの弾性力よりも高い場合、上記ダイアフラムに対する要求と、ダンパ部に対する要求とを満たすことが、本願発明者の研究により判明している。
【実施例】
【００２８】
本発明の生体音取得装置に係る実施例を図面に基づいて説明する。本実施例では、生体音取得装置の一例として電子聴診器を挙げる。
【００２９】
（電子聴診器の構成）
実施例に係る電子聴診器の構成について、図１を参照して説明する。図１は、実施例に係る電子聴診器の構成を示すブロック図である。
【００３０】
図１において、電子聴診器２００は、信号取得部２１と、バンドパスフィルタ２２と、該バンドパスフィルタ２２に係る遮断周波数を調整する遮断周波数調整部２３と、パワーアンプ２４と、該パワーアンプのゲインを調整する音量調整部２５と、イヤフォン２６とを備えて構成されている。尚、信号取得部２１等には、公知の各種態様を適用可能であるので、その詳細についての説明は割愛する。
【００３１】
（聴取部の構造）
次に、電子聴診器２００の聴取部の構造について、図２を参照して説明する。図２は、実施例に係る電子聴診器の要部の構造を示す断面図である。
【００３２】
図２において、聴取部は、本体部１１、ダンパ部１３及びセンサモジュール１００を備えて構成されている。ここで、実施例に係る「センサモジュール１００」は、本発明に係る「生体音取得部」の一例である。
【００３３】
センサモジュール１００は、本発明に係る「センサ部」の一例としての、信号取得部２１と、ケース１１０と、該ケース１１０に信号取得部２１を保持するダイアフラム１２０とを備えて構成されている。尚、センサモジュール１００には、信号取得部２１に加えて、例えばバンドパスフィルタ２２（図１参照）等が含まれていてよい。
【００３４】
ケース１１０の、被測定者（被検体）の体表面と対向する側（図２下側）には、開口が形成されている。ダイアフラム１２０は、該開口を塞ぐようにケース１１０に接続されている。ケース１１０とダイアフラム１２０とにより形成される空間１３０内に信号取得部２１が配置されている。
【００３５】
より具体的には、信号取得部２１は、ダイアフラム１２０の被測定者の体表面と対向する面（図２における下側の面）とは反対側の面（図２における上側の面）上の、ケース１１０と接しない位置に配置されている。
【００３６】
本体部１１は、センサモジュール１００を収容する中空の収容部１２を有している。ダンパ部１３は、センサモジュール１００が本体部１１と接しないように、収容部１２内でセンサモジュール１００を保持する。
【００３７】
（比較例）
ここで、比較例に係る電子聴診器５００の聴取部の構造について、図３を参照して説明する。図３は、比較例に係る電子聴診器の要部の構造を示す断面図である。
【００３８】
図３において、電子聴診器５００は、本体部５１０及びセンサ部５２０を備えて構成されている。ここで特に、センサ部５２０は、その一部が露出するように本体部５１０に埋設されている。
【００３９】
ところで、聴診時には、例えば電子聴診器５００を扱う測定者の血流等に起因する生体ノイズと、測定者の指や着衣等が本体部５１０に触れることによる接触ノイズと、が測定者ノイズとして、センサ部５２０に伝播する。また、被測定者の目的とする生体音（例えば呼吸音等）以外の音に起因する生体ノイズと、被測定者の皮膚等に本体部５１０等が触れることによる接触ノイズと、が被測定者ノイズとして、センサ部５２０に伝播する。特に、電子聴診器５００には、上記ノイズを減衰させるような構成が設けられていないので、上記ノイズが聴診の妨げとなる可能性がある。
【００４０】
加えて、聴診時に、例えば測定者の持ち方に起因して、又は、被測定者の体表面の形状に起因して、センサ部５２０が傾くと、例えば破線円Ｃ１で示す箇所や破線円Ｃ２で示す箇所等が、被測定者の体表面に接触せず、正しく聴診できない可能性がある。或いは、センサ部５２０が被測定者に比較的強く押し当てられた場合、該被測定者が不快感を覚える可能性がある。
【００４１】
（本発明の効果）
本実施例に係る電子聴診器２００では、図２に示すように、本体部１１とセンサモジュール１００とが接触しないように、ダンパ部１３により該センサモジュール１００が保持されている（所謂、センサモジュール１００が本体部１１から浮いている状態）。このため、本体部１１からセンサモジュール１００へノイズが直接伝播することを防止することができる。また、図４に示すように、本体部１１からダンパ部１３を介して、センサモジュール１００へノイズが伝播する場合であっても、ダンパ部１３の働きによってノイズが減衰されるので、センサモジュール１００へのノイズの伝播を抑制することができる。
【００４２】
更に、センサモジュール１００のケース１１０と信号取得部２１とが接触しないように、ダイアフラム１２０により該信号取得部２１が保持されている（所謂、信号取得部２１がケース１１０から浮いている状態）（図２参照）。このため、ケース１１０から信号取得部２１へノイズが直接伝播することを防止することができる。また、ケース１１０からダイアフラム１２０を介して、信号取得部２１へノイズが伝播する場合であっても、ダイアフラム１２０の働きによってノイズが減衰されるので、信号取得部２１へのノイズの伝播を抑制することができる。
【００４３】
従って、本実施例に係る電子聴診器２００によれば、信号取得部２１におけるノイズを好適に低減することができ、もって、良好な聴診を可能とする。
【００４４】
また、センサモジュール１００は、ダンパ部１３によって保持されることにより、ある程度の可動域を有している。このため、聴診時に、例えば図５に示すように、本体部１１が被測定者の体表面に対して傾いていたとしても、センサモジュール１００のダイアフラム１２０を、被測定者の体表面に適切に密着させることができる。この結果、電子聴診器２００の被測定者への当て方による測定バラツキを防止することができる。
【００４５】
（ダイアフラムの特性）
次に、ダイアフラム１２０の外部雑音遮断特性について、図６を参照して説明する。図６は、ダイアフラムの外部雑音遮断特性の一例を示す図である。図６は、センサモジュール１００に加振機を用いて振動を加えた場合に、ダイアフラム１２０に伝わる振動を信号取得部２１により測定した結果により構築されている。
【００４６】
図６の各グラフは、シリコーン（硬度５０、厚さ０．７５ｍｍ）からなるダイアフラム、シリコーン（硬度４０、厚さ０．５ｍｍ）からなるダイアフラム、及びＡＢＳ樹脂からなるダイアフラムが、ダイアフラム１２０として用いられた場合の測定結果を表している。尚、図６では、加振機に４０Ｈｚ、２Ｖｐ−ｐのサイン波を入力した際の振動を０ｄＢとしている。
【００４７】
図６において、周波数１００Ｈｚ〜２００Ｈｚ付近に現れるピークは、ダイアフラム１２０と信号取得部２１とで構成される弾性体の共振周波数を表している。ここでは、信号取得部２１の質量は一定であり、図６からわかるように、ダイアフラム１２０の材質が柔らかくなるほど、共振周波数帯が低周波数側へ移動する。また、ダイアフラム１２０の材質が柔らかくなるほど、高周波数帯域のノイズを低減することができることがわかる。
【００４８】
尚、電子聴診器が測定対象とする生体音の周波数は、５０Ｈｚ〜２０００Ｈｚである。ノイズ低減効果のみを考慮する場合、ダイアフラム１２０としては、シリコーン（硬度４０、厚さ０．５ｍｍ）がより望ましいと言える。
【００４９】
しかしながら、ダイアフラム１２０には、ノイズ低減効果に加え、下記点が求められる。即ち、信号取得部２１により目的とする生体音を適切に取得するために、ダイアフラム１２０は可能な限り薄く設計されることが望ましい。また、ダイアフラム１２０は、信号取得部２１によって弛まないように、ある程度の硬さが求められる。
【００５０】
上記要件を考慮した場合、本願発明者の研究条件下では、シリコーン（硬度５０、厚さ０．７５ｍｍ）がダイアフラム１２０により適していることが判明している。
【００５１】
（ダンパ部）
ダンパ部１３については、ノイズ低減効果に加えて、聴診時にセンサモジュール１００が被測定者の体表面に比較的容易に密着可能なこと、及び、被測定者（患者）への負荷を低減させる効果が求められる。もちろん、ダンパ部１３は、信号取得部２１とダイアフラム１２０及びケース１１０の総質量、即ち、センサモジュール１００全体を支持するものであって、その上で、ノイズ低減効果を含む上述の効果の全てをもたらすものであることが求められる。
【００５２】
上記要件を考慮した場合、本願発明者の研究条件下では、シリコーン（硬度３０、厚さ２．５ｍｍ）がダンパ部１３により適していることが判明している。
【００５３】
ここで、ダンパ部１３及びダイアフラム１２０各々を構成する物質の硬度と厚さとに着目すると、弾性力に比例する係数ｋは、ｋ＝Ｅｔ３／Ｒ２と表せる。変数Ｅは、硬度に関係するヤング率であり、変数ｔは、厚さであり、Ｒは、半径である。本実施例に係るダンパ部１３の半径は、例えば１６ｍｍであり、ダイアフラム１２０の半径は、例えば１０ｍｍである。
【００５４】
上記式から、ダンパ部１３に係る係数ｋは約０．３３、ダイアフラム１２０に係る係数ｋは約０．０６となる。つまり、ダンパ部１３の弾性力のほうが、ダイアフラム１２０の弾性力よりも高い。
【００５５】
＜第１変形例＞
図７に示すように、センサモジュール１００の被測定者の体表面と対向する側が、キャップ３０により覆われていてもよい。
【００５６】
このように構成すれば、センサモジュール１００やダンパ部１３への汚れの付着を防止することができる。加えて、キャップ３０を使い捨てにする又は使用する度に消毒することにより、比較的容易にして衛生を保つことができる。
【００５７】
尚、キャップ３０に比較的柔らかい材質を用い、且つ該キャップ３０を比較的薄く形成することにより、本体部１１からキャップ３０を介してセンサモジュール１００へ伝播するノイズを抑制することができると共に、目的とする生体音の取得への影響をなくすことができる。
【００５８】
＜第２変形例＞
図８に示すように、ダンパ部１３に代えて、ジャバラ構造を有するダンパ部１３ａが用いられてもよい。
【００５９】
このように構成すれば、上述した本発明の効果を奏しつつ、ダンパ部１３ａに、例えば金属等も用いることができ、素材選定の自由度を向上させることができる。ダンパ部１３ａを金属により形成した場合には、電磁波等の遮蔽性を向上させることができ、当該電子聴診器２００への電子ノイズの影響を抑制することができる。
【００６０】
＜第３変形例＞
図９に示すように、ダイアフラム１２０に代えて、ジャバラ構造を有するダイアフラム１２１が用いられてもよい。
【００６１】
このように構成すれば、上述した本発明の効果を奏しつつ、ダイアフラム１２１に、例えば金属等も用いることができ、素材選定の自由度を向上させることができる。ダイアフラム１２１を金属により形成した場合には、当該電子聴診器２００への電子ノイズの影響を抑制することができる。
【００６２】
＜第４変形例＞
図１０に示すように、ダンパ部１３に代えて、ジャバラ構造を有するダンパ部１３ａが、ダイアフラム１２０に代えて、ジャバラ構造を有するダイアフラム１２１が用いられてもよい。
【００６３】
本発明は、上述した実施形態に限られるものではなく、特許請求の範囲及び明細書全体から読み取れる発明の要旨或いは思想に反しない範囲で適宜変更可能であり、そのような変更を伴う生体音聴診装置もまた本発明の技術的範囲に含まれるものである。
【符号の説明】
【００６４】
１１…本体部、１３、１３ａ…ダンパ部、２１…信号取得部、１００…センサモジュール、１１０…ケース、１２０、１２１…ダイアフラム、２００…電子聴診器
【図１】
0006710504.tif 000002
【図２】
0006710504.tif 000003
【図３】
0006710504.tif 000004
【図４】
0006710504.tif 000005
【図５】
0006710504.tif 000006
【図６】
0006710504.tif 000007
【図７】
0006710504.tif 000008
【図８】
0006710504.tif 000009
【図９】
0006710504.tif 000010
【図１０】
0006710504.tif 000011